(57)【要約】【課題】設置される場所の給水圧が低い場合や、給水圧が変動する場合であっても、吐出される水の流量を確実に段階的に調整可能な吐水装置を提供すること。【解決手段】この吐水装置１０は、流量調整弁１３の開度を最大にして吐水部１４から水を吐出させ、当該吐水中において流量センサ１２によって検出された流量を示す最大実測流量値を取得し、当該取得した最大実測流量値が初期状態の第二流量値よりも小さい場合に、最大実測流量値よりも小さい流量値を更新された第二流量値としてメモリ１６に格納し、当該更新された第二流量値よりも大きく最大実測流量値以下の流量値を更新された第一流量値としてメモリ１６に格納する流量値再設定制御を実行する。【選択図】図１
2011058212.tif 000002
【特許請求の範囲】
【請求項１】
吐出される水の流量を段階的に設定可能な吐水装置であって、
水を吐出する吐水部と、
前記吐水部に水を供給する給水路に設けられ、前記吐水部から吐出される水の流量を検出する流量検出手段と、
前記給水路に設けられ、開度を変更可能なように構成されている流量調整弁と、
前記吐水部から吐出される水の流量を最大流量である第一流量に設定するための第一流量指示手段と、前記吐水部から吐出される水の流量を最大流量未満の第二流量に設定するための第二流量指示手段と、を有する流量設定手段と、
前記第一流量指示手段に対応する初期状態の第一流量値と、前記第二流量指示手段に対応する初期状態の第二流量値と、を格納する流量格納手段と、
前記流量設定手段から出力される流量指示信号に基づいて、前記流量格納手段に格納されているいずれかの流量値を選択し、当該選択した流量値に対応した流量の水が前記吐水部に供給されるように前記流量調整弁の開度を調整する制御手段と、を備え、
前記制御手段は、
前記流量調整弁の開度を最大にして前記吐水部から水を吐出させ、当該吐水中において前記流量検出手段によって検出された流量を示す最大実測流量値を取得し、当該取得した最大実測流量値が前記初期状態の第二流量値よりも小さい場合に、前記最大実測流量値よりも小さい流量値を更新された第二流量値として前記流量格納手段に格納し、当該更新された第二流量値よりも大きく前記最大実測流量値以下の流量値を更新された第一流量値として前記流量格納手段に格納する流量値再設定制御を実行することを特徴とする吐水装置。
【請求項２】
第二流量指示手段は複数の流量値を指示可能なように構成され、それぞれ異なる流量値である複数の初期状態の第二流量値が割り当てられており、
前記流量値再設定制御では、取得した最大実測流量値がいずれかの初期状態の第二流量値よりも小さい場合に、その取得した最大実測流量値よりも小さい流量値であって互いに異なる流量値をそれぞれの更新された第二流量値として前記流量格納手段に格納し、当該更新された第二流量値の最大値よりも大きく前記最大実測流量値以下の流量値を更新された第一流量値として前記流量格納手段に格納することを特徴とする請求項１に記載の吐水装置。
【請求項３】
更新された第一流量値及び更新された第二流量値を初期状態の第一流量値及び初期状態の第二流量値に戻して前記流量格納手段に格納するリセット動作を実行するリセット手段を備えることを特徴とする請求項１又は２に記載の吐水装置。
【請求項４】
前記吐水装置の電源を投入し遮断するための電源切替手段を備え、
前記リセット手段は、前記電源切替手段の動作に応じて前記リセット動作を実行することを特徴とする請求項３に記載の吐水装置。
【請求項５】
前記吐水部からの水の吐出を開始し停止するための吐水切替手段を備え、
前記リセット手段は、前記吐水切替手段の動作に応じて前記リセット動作を実行することを特徴とする請求項３に記載の吐水装置。
【請求項６】
前記リセット手段は、前記制御手段が前記流量値再設定制御を実行した後、所定時間の経過後に前記リセット動作を実行することを特徴とする請求項３に記載の吐水装置。
【請求項７】
前記制御手段は、前記リセット手段が前記リセット動作を実行した後、前記流量値再設定制御を再び実行することを特徴とする請求項３〜６のいずれか１項に記載の吐水装置。
【発明の詳細な説明】
【技術分野】
【０００１】
本発明は、吐出される水の流量を段階的に設定可能な吐水装置に関する。
【背景技術】
【０００２】
従来、吐出される水の流量を段階的に設定可能な吐水装置として、下記特許文献１に記載されているような吐水装置が提案されている。下記特許文献１に記載されている吐水装置は、水道管に取り付けられた複数の流量設定が可能な流量調整弁と、水道流路の開閉電磁弁を制御する制御回路と、制御回路に指示を与える操作部を有し、操作部の操作により制御回路が開閉電磁弁を制御し流量調整弁により設定された任意の設定流量の水道水を吐出するように構成されている。
【０００３】
より具体的には、下記特許文献１の段落番号００３１に記載されているように、操作部のボタンが押されるとそのボタンに対応した指令信号が制御回路に伝達され、その指令信号に対応した設定値で、まず制御回路からの指令で流量調整弁を駆動して流量調整弁の開度を合わせ、次に流路開閉電磁弁を制御回路からの指令で開き、水道水が導水管内を流れるように構成されている。導水管中を水が流れることにより、流量測定装置により流量が計測され、計測値が制御回路にフィードバックされ、計測した流量値と設定流量値が異なれば制御回路により流量調整弁を駆動してその差分を調整し、設定した正しい流量になるように流量調整を行っている。下記特許文献１ではそのような動作によって、水圧の変化等が起こっても常に設定した所定の流量の水を吐出口よりボタンに対応して吐出されるものと記載されている。
【先行技術文献】
【特許文献】
【０００４】
【特許文献１】特開２００３−４９４６２号公報
【発明の概要】
【発明が解決しようとする課題】
【０００５】
しかしながら、例えば予め設定されている最大流量を吐出させようとした場合であっても、給水圧が低く流量調整弁を全開しても所望の最大流量が得られない場合が想定され、このような場合には上記従来の技術は対応することができない。またそのように給水圧が低い場合において、最大流量に相当する流量が得られないことを許容したとしても、吐出される水の流量をスイッチ操作によって段階的に調整可能にならない事態も想定される。具体的には、例えば５段階の流量調整スイッチを備えている場合に、流量の大きい方から２段階目の流量調整スイッチに対応する流量も供給できないほどに給水圧が低い場合には、最大流量を指示する流量調整スイッチを操作しても、２段階目の流量調整スイッチを操作しても、吐水される水量は変わらず、ユーザーは故障しているのではないかと不安を感じるおそれがある。この場合に例えば、吐水装置が設置される場所の給水圧を事前に測定し、その給水圧に合わせて流量調整スイッチに対応する吐水量を調整したとしても、実際の住居等には他の給水栓等が設けられている関係上、吐水装置に供給される給水圧は変動してしまうので、現実的には対応することができない。
【０００６】
本発明はこのような課題に鑑みてなされたものであり、その目的は、設置される場所の給水圧が低い場合や、給水圧が変動する場合であっても、吐出される水の流量を確実に段階的に調整可能な吐水装置を提供することにある。
【課題を解決するための手段】
【０００７】
上記課題を解決するために本発明に係る吐水装置は、吐出される水の流量を段階的に設定可能な吐水装置であって、（１）水を吐出する吐水部と、（２）前記吐水部に水を供給する給水路に設けられ、前記吐水部から吐出される水の流量を検出する流量検出手段と、（３）前記給水路に設けられ、開度を変更可能なように構成されている流量調整弁と、（４）前記吐水部から吐出される水の流量を最大流量である第一流量に設定するための第一流量指示手段と、前記吐水部から吐出される水の流量を最大流量未満の第二流量に設定するための第二流量指示手段と、を有する流量設定手段と、（５）前記第一流量指示手段に対応する初期状態の第一流量値と、前記第二流量指示手段に対応する初期状態の第二流量値と、を格納する流量格納手段と、（６）前記流量設定手段から出力される流量指示信号に基づいて、前記流量格納手段に格納されているいずれかの流量値を選択し、当該選択した流量値に対応した流量の水が前記吐水部に供給されるように前記流量調整弁の開度を調整する制御手段と、を備え、前記制御手段は、前記流量調整弁の開度を最大にして前記吐水部から水を吐出させ、当該吐水中において前記流量検出手段によって検出された流量を示す最大実測流量値を取得し、当該取得した最大実測流量値が前記初期状態の第二流量値よりも小さい場合に、前記最大実測流量値よりも小さい流量値を更新された第二流量値として前記流量格納手段に格納し、当該更新された第二流量値よりも大きく前記最大実測流量値以下の流量値を更新された第一流量値として前記流量格納手段に格納する流量値再設定制御を実行することを特徴とする。
【０００８】
本発明によれば、流量調整弁の開度を最大にして吐水部から水を吐出させ、その吐水中において流量検出手段によって検出された流量を示す最大実測流量値を取得するので、吐水時点において流量調整弁を全開にした場合にどれくらいの流量が確保できるかを最大実測流量値として把握することができる。従って、吐水装置が設置されている場所の給水圧が変化したとしても、吐水装置において吐水する時点での最大流量を確実に把握することができる。このようにして取得した最大実測流量値が初期状態の第二流量値よりも小さい場合には、その最大実測流量値よりも小さい流量値を更新された第二流量値として流量格納手段に格納することで、初期状態の第二流量値を給水状態に即した第二流量値へと更新することができる。
【０００９】
更に、このようにして更新された第二流量値よりも大きく最大実測流量値以下の流量値を更新された第一流量値として流量格納手段に格納することで、初期状態の第一流量値を給水状態に即した第一流量値へと更新することができる。このように流量値再設定制御を実行することで、第一流量値と第二流量値とを確実に異なる値とすることができ、第一流量指示手段を操作した場合の吐水流量と第二流量指示手段を操作した場合の吐水流量とを確実に異ならせることができる。従って、この吐水装置が設置される場所の給水圧が低い場合や、給水圧が変動する場合であっても、吐出される水の流量を段階的に変化するように調整可能なものとすることができるので、使用者にとって非常に使い勝手の良い吐水装置を提供することができる。
【００１０】
また本発明に係る吐水装置では、第二流量指示手段は複数の流量値を指示可能なように構成され、それぞれ異なる流量値である複数の初期状態の第二流量値が割り当てられており、前記流量値再設定制御では、取得した最大実測流量値がいずれかの初期状態の第二流量値よりも小さい場合に、その取得した最大実測流量値よりも小さい流量値であって互いに異なる流量値をそれぞれの更新された第二流量値として前記流量格納手段に格納し、当該更新された第二流量値の最大値よりも大きく前記最大実測流量値以下の流量値を更新された第一流量値として前記流量格納手段に格納することも好ましい。
【００１１】
この好ましい態様によれば、第二流量指示手段は複数の流量値を指示可能なように構成され、それぞれ異なる流量値である初期状態の第二流量値が割り当てられており、最大実測流量値がそのいずれかの初期状態の第二流量値よりも小さくなってしまった場合でも、第一流量値と第二流量値とを確実に異なる値とすることができると共に、それぞれ割り当てられている初期状態の第二流量値もそれぞれが異なる更新された第二流量値へと更新することができる。
【００１２】
また本発明に係る吐水装置では、更新された第一流量値及び更新された第二流量値を初期状態の第一流量値及び初期状態の第二流量値に戻して前記流量格納手段に格納するリセット動作を実行するリセット手段を備えることも好ましい。この好ましい態様では、リセット動作を実行することで、更新された第一流量値及び更新された第二流量値を初期状態の第一流量値及び初期状態の第二流量値に戻して流量格納手段に格納するので、例えば吐水時の一時的な給水圧の減少で第一流量値及び第二流量値を更新する流量値再設定制御が実行されても、元の初期状態の第一流量値及び第二流量値に回復させることができる。
【００１３】
また本発明に係る吐水装置では、前記吐水装置の電源を投入し遮断するための電源切替手段を備え、前記リセット手段は、前記電源切替手段の動作に応じて前記リセット動作を実行することも好ましい。この好ましい態様では、電源切替手段の動作に応じてリセット動作を実行するので、吐水装置の電源を遮断した場合や投入した場合にユーザに意識させずにリセット動作を実行することができ、ユーザに負担をかけずに確実に初期状態の第一流量値及び第二流量値に回復させることができる。
【００１４】
また本発明に係る吐水装置では、前記吐水部からの水の吐出を開始し停止するための吐水切替手段を備え、前記リセット手段は、前記吐水切替手段の動作に応じて前記リセット動作を実行することも好ましい。この好ましい態様では、吐水切替手段の動作に応じてリセット動作を実行するので、吐水部からの吐水を停止した場合や開始した場合にユーザに意識させずにリセット動作を実行することができ、ユーザに負担をかけずに確実に初期状態の第一流量値及び第二流量値に回復させることができる。
【００１５】
また本発明に係る吐水装置では、前記リセット手段は、前記制御手段が前記流量値再設定制御を実行した後、所定時間の経過後に前記リセット動作を実行することも好ましい。この好ましい態様では、制御手段が流量値再設定制御を実行した後、所定時間が経過した後にリセット動作を実行するので、例えば吐水を継続していた場合でも、ユーザに負担をかけずに確実に初期状態の第一流量値及び第二流量値に回復させることができる。
【００１６】
また本発明に係る吐水装置では、前記制御手段は、前記リセット手段が前記リセット動作を実行した後、前記流量値再設定制御を再び実行することも好ましい。この好ましい多様では、リセット動作の実行後に流量値再設定制御を再び実行するので、電源の再投入や吐水の再開を行っても給水圧が回復しない場合や、所定時間を経過しても給水圧が回復しない場合であっても、再び適切な第一流量値及び第二流量値に更新することができる。従って、より適切なタイミングで、確実に吐出される水の流量を段階的となるように調整可能なものとすることができるので、使用者にとって非常に使い勝手の良い吐水装置を提供することができる。
【発明の効果】
【００１７】
本発明によれば、設置される場所の給水圧が低い場合や、給水圧が変動する場合であっても、吐出される水の流量を確実に段階的に調整可能な吐水装置を提供することができる。
【図面の簡単な説明】
【００１８】
【図１】本願発明の実施形態である吐水装置の構成を示すブロック図である。
【図２】図１の操作パネルを示す図である。
【図３】図１のメモリに格納されている流量レベルと流量値との関係を例示する図である。
【図４】図１のメモリに格納されている流量レベルと流量値との関係を例示する図である。
【図５】図１のメモリに格納されている流量レベルと流量値との関係を例示する図である。
【図６】図１の吐水装置の動作を説明するためのフローチャートである。
【発明を実施するための形態】
【００１９】
以下、添付図面を参照しながら本発明の実施の形態について説明する。説明の理解を容易にするため、各図面において同一の構成要素に対しては可能な限り同一の符号を付して、重複する説明は省略する。
【００２０】
本発明の実施形態である吐水装置について図１を参照しながら説明する。図１は、吐水装置１０の構成を示すブロック図である。図１に示すように、吐水装置１０は、吐出される水の流量をスイッチ操作によって段階的に設定可能なものであって、浴室に設けられるシャワー吐水を行うための吐水装置や、キッチンや洗面所に設けられる吐水装置として応用することができる。吐水装置１０は、水を吐出する吐水部１４と、吐水部１４に水を供給する給水路１１と、給水路１１の途上に設けられている流量センサ１２（流量検出手段）及び流量調整弁１３と、ＣＰＵ１５（制御手段、リセット手段）と、書き換え可能なメモリ１６（流量格納手段）と、操作パネル１７（流量設定手段）とを備えている。
【００２１】
給水路１１には、給水配管３０と給湯配管３５とが繋がれており、給水配管３０からは常温の水が供給され、給湯配管３５からは高温の水が供給されるように構成されている。給水配管３０から供給される常温の水と、給湯配管３５から供給される高温の水とが混合され、給水路１１の先端に取り付けられている吐水部１４からは適温の水が吐出されるように構成されている。
【００２２】
流量センサ１２は、吐水部１４に水を供給する給水路１１に設けられており、吐水部１４から吐出される水の量を検出し、その検出した水の量を流量値信号として出力するセンサである。流量センサ１２は、給水路１１において設置されている部分の水の流量を測定することで、その測定流量が吐水部１４から吐出される水の流量であるとして流量値信号を出力する。流量センサ１２が出力する流量値信号はＣＰＵ１５に送信される。
【００２３】
流量調整弁１３は、吐水部１４に水を供給する給水路１１に設けられており、その開度を変更可能な弁体を備える電磁弁である。流量調整弁１３は、ＣＰＵ１５から出力される流量調整信号に基づいて、その流量調整信号によって指示される開度に弁体を開くように構成されている。従って、吐水部１４からは、流量調整弁１３の弁体の開度に応じた流量の水が吐出される。
【００２４】
操作パネル１７（流量設定手段）は、操作に応じた流量指示信号をＣＰＵ１５に出力する部分である。操作パネル１７の具体的な一例を図２に示す。図２に示す操作パネル１７は、吐水スイッチ１７１（リセット手段、電源切替手段、吐水切替手段）と、増量ボタン１７２（流量設定手段）と、流量レベル表示部１７３（流量設定手段）と、減量ボタン１７４（流量設定手段）とを有している。
【００２５】
吐水スイッチ１７１は、押下することによって吐水装置１０の電源を投入し、その状態から再び押下することによって吐水装置１０の電源を遮断する電源切替手段として機能している。具体的には、吐水スイッチ１７１によって吐水装置１０の電源が投入されると、流量調整弁１３の弁体が所定の開度まで開いて水を通し、吐水部１４から所定流量の水が吐出される。一方、吐水スイッチ１７１によって吐水装置１０の電源が遮断されると、流量調整弁１３の弁体が閉じて水を遮断し、吐水部１４からの吐水が停止する。
【００２６】
尚、吐水スイッチ１７１は、電源切替手段としてではなく、吐水部１４からの水の吐出を開始し停止するための吐水切替手段として機能させることも好ましい。このように吐水スイッチ１７１を吐水切替手段として機能させると、押下することによって吐水部１４から水を吐出させ、その状態から再び押下することによって吐水部１４から吐出している水を停止させる。具体的には、吐水スイッチ１７１によって吐水部１４からの吐水が指示されると、流量調整弁１３の弁体が所定の開度まで開いて水を通し、吐水部１４から所定流量の水が吐出される。一方、吐水スイッチ１７１によって吐水部１４からの吐水を停止する指示がなされると、流量調整弁１３の弁体が閉じて水を遮断し、吐水部１４からの吐水が停止する。
【００２７】
増量ボタン１７２、流量レベル表示部１７３、及び減量ボタン１７４は、連携して動作することで流量設定手段として機能している。本実施形態の場合、流量レベルは「１」「２」「３」「４」「５」の５段階となっていて、各流量レベルに対応して初期状態の流量値が「６Ｌ／ｍｉｎ」「８Ｌ／ｍｉｎ」「１０Ｌ／ｍｉｎ」「１２Ｌ／ｍｉｎ」「１４Ｌ／ｍｉｎ」に設定されている。この対応関係は図３に示すようになっており、図３に示すような対応関係の情報がメモリ１６に格納されている。流量レベル表示部１７３には、現在設定されている流量レベルが表示される。従って、図２に示す状態では、流量レベルが「３」に設定されている。
【００２８】
流量レベルを変動させたい場合には、増量ボタン１７２又は減量ボタン１７４を操作する。増量ボタン１７２を操作すると、吐水部１４から吐出する水の流量を増量するように、すなわち流量レベルが増加するように流量レベル表示部１７３に表示される流量レベルが変化し、その情報がＣＰＵ１５に出力される。一方、減量ボタン１７４を操作すると、吐水部１４から吐出する水の流量を減量するように、すなわち流量レベルが減少するように流量レベル表示部１７３に表示される流量レベルが変化し、その情報がＣＰＵ１５に出力される。ＣＰＵ１５は、操作パネル１７から出力される流量レベルに対応する流量値を、メモリ１６に格納されている情報から読み取り、その流量値に対応する水が吐水部１４から吐出されるように流量調整弁１３の弁体の開度を制御するための流量調整信号を出力する。
【００２９】
図３に示す流量レベルと流量値との対応関係は、本実施形態における流量値再設定制御を実行する前の状態を示している。従って、流量値としては、初期状態の流量値のみが格納されており、更新された流量値は格納されていない状態になっている。後述する流量値再設定制御を実行すると、例えば図４及び図５に示すように、更新された流量値が格納される。
【００３０】
メモリ１６に格納されている情報が図４に例示するようなものであれば、ＣＰＵ１５は、更新された流量値を用いて流量調整弁１３に対して流量調整信号を出力する。一方で、メモリ１６に格納されている情報が図３に例示するようなものであれば、ＣＰＵ１５は、初期状態の流量値を用いて流量調整弁１３に対して流量調整信号を出力する。尚、図４に示す更新された流量値は、流量レベル「１」「２」「３」「４」「５」に対して、それぞれ「６Ｌ／ｍｉｎ」「７Ｌ／ｍｉｎ」「８Ｌ／ｍｉｎ」「９Ｌ／ｍｉｎ」「１０Ｌ／ｍｉｎ」に設定されている。
【００３１】
メモリ１６に格納されている情報が図５に例示するようなものであれば、ＣＰＵ１５は、更新された流量値を用いて流量調整弁１３に対して流量調整信号を出力する。一方で、メモリ１６に格納されている情報が図３に例示するようなものであれば、ＣＰＵ１５は、初期状態の流量値を用いて流量調整弁１３に対して流量調整信号を出力する。尚、図４に示す更新された流量値は、流量レベル「１」「２」「３」「４」「５」に対して、それぞれ「６Ｌ／ｍｉｎ」「８Ｌ／ｍｉｎ」「１０Ｌ／ｍｉｎ」「１２Ｌ／ｍｉｎ」「１３Ｌ／ｍｉｎ」に設定されている。
【００３２】
続いて、本実施形態の吐水装置１０を用いて流量値再設定制御を行う態様を、図６を参照しながら説明する。図６は、吐水装置１０において吐水する際の流量制御を示すフローチャートである。
【００３３】
ステップＳ０１では、吐水スイッチ１７１が操作され、吐水部１４から水を吐出する指示がなされているか判断する。吐水部１４から吐水する指示がなされていればステップＳ０２の処理に進み、吐水部１４から吐水する指示がなされていなければステップＳ０１の判断を繰り返す。
【００３４】
ステップＳ０２では、流量センサ１２が検出する流量が、設定された流量レベルに対応する流量値が示す流量に対して＋０．５Ｌ／ｍｉｎから−０．５Ｌ／ｍｉｎの間に収まっているか判断する。検出流量が設定流量の＋０．５Ｌ／ｍｉｎから−０．５Ｌ／ｍｉｎの間に収まっていればステップＳ０９の処理に進み、検出流量が設定流量の＋０．５Ｌ／ｍｉｎから−０．５Ｌ／ｍｉｎの間に収まっていなければステップＳ０３の処理に進む。尚、この流量レベルに対応する流量値は、メモリ１６に格納されている流量値が初期状態の流量値のみである場合（図３に例示する場合）であれば、初期状態の流量値を用い、メモリ１６に格納されている流量値が初期状態の流量値に加えて更新された流量値も含む場合（図４に例示する場合）であれば、更新された流量値を用いる（以下のステップにおいて検出流量と設定流量とを比較する際も同様である）。
【００３５】
ステップＳ０３では、流量センサ１２が検出する流量が、設定された流量レベルに対応する流量値が示す流量の−０．５Ｌ／ｍｉｎよりも少ないか否かを判断する。検出流量が設定流量の−０．５Ｌ／ｍｉｎよりも少なければステップＳ０４の処理に進み、検出流量が設定流量の−０．５Ｌ／ｍｉｎよりも少なくなければステップＳ０６の処理に進む。
【００３６】
ステップＳ０４では、流量調整弁１３の弁体を開く方向に駆動しつつ、流量センサ１２によって給水路１１を流れる水の流量を検出する。ステップＳ０４に続くステップＳ０５では、流量調整弁１３が全開されてもなお、流量センサ１２が検出する流量が、設定された流量レベルに対応する流量値が示す流量の−０．５Ｌ／ｍｉｎより多くなっていないか否かを判断する。流量調整弁１３が全開されてもなお、検出流量が設定流量の−０．５Ｌ／ｍｉｎより多くなっていなければステップＳ１０の処理に進み、流量調整弁１３が全開される前に検出流量が設定流量の−０．５Ｌ／ｍｉｎより多くなっていればステップＳ０６の処理に進む。
【００３７】
ステップＳ０６では、流量センサ１２が検出する流量が、設定された流量レベルに対応する流量値が示す流量の＋０．５Ｌ／ｍｉｎよりも多いか否かを判断する。検出流量が設定流量の＋０．５Ｌ／ｍｉｎよりも多ければステップＳ０７の処理に進み、検出流量が設定流量の＋０．５Ｌ／ｍｉｎよりも多くなければステップＳ０８の処理に進む。
【００３８】
ステップＳ０７では、流量調整弁１３の弁体を閉じる方向に駆動しつつ、流量センサ１２によって給水路１１を流れる水の流量を検出する。
【００３９】
ステップＳ０８では、流量センサ１２が検出する流量が、設定された流量レベルに対応する流量値が示す流量に対して＋０．５Ｌ／ｍｉｎから−０．５Ｌ／ｍｉｎの間に収まっているか判断する。検出流量が設定流量の＋０．５Ｌ／ｍｉｎから−０．５Ｌ／ｍｉｎの間に収まっていればステップＳ０９の処理に進み、検出流量が設定流量の＋０．５Ｌ／ｍｉｎから−０．５Ｌ／ｍｉｎの間に収まっていなければステップＳ０２の処理に戻る。
【００４０】
ステップＳ０９では、流量調整弁１３の駆動を停止し、流量調整制御を終了する。
【００４１】
ステップＳ０５から分岐するステップＳ１０では、流量調整弁１３の駆動を停止する。ステップＳ０５では、流量調整弁１３が全開になっているので、ステップＳ１０の処理により、流量調整弁１３は全開の状態で保持される。ステップＳ１０に続くステップＳ１１では、流量センサ１２が検出する流量を示す流量値を取得し、この流量値を最大設定レベルである流量レベル「５」に対応する更新された流量値として設定する。例えば、流量センサ１２が取得する流量値が「１０Ｌ／ｍｉｎ」であれば、流量レベル「５」に対応する更新された流量値を「１０Ｌ／ｍｉｎ」とする（図４参照）。また、例えば、流量センサ１２が取得する流量値が「１３Ｌ／ｍｉｎ」であれば、流量レベル「５」に対応する更新された流量値を「１３Ｌ／ｍｉｎ」とする（図５参照）。
【００４２】
ステップＳ１２では、更新された最大流量値（図４に示す場合には「１０Ｌ／ｍｉｎ」、図５に示す場合には「１３Ｌ／ｍｉｎ」）に基づいて、流量レベル「２」「３」「４」に対応する流量値を設定する。具体的には、流量レベル「５」に対応する流量値を第一流量値とみなし、更新された第一流量値（図４に示す場合には「１０Ｌ／ｍｉｎ」、図５に示す場合には「１３Ｌ／ｍｉｎ」）に基づいて、第二流量値に対応する流量レベルを設定する。例えば、図４に示す場合には、取得した最大実測流量値が「１０Ｌ／ｍｉｎ」であるので、初期状態の流量値がこの値を上回る流量レベル「４」を第二流量値に対応する流量レベルとする。この場合には、取得した最大実測流量値が初期状態の第二流量値である「１２Ｌ／ｍｉｎ」よりも小さいので、最大実測流量値「１０Ｌ／ｍｉｎ」よりも小さい「９Ｌ／ｍｉｎ」を更新された第二流量値として設定する。換言すれば、更新された第二流量値（流量レベル「４」に対応する流量値「９Ｌ／ｍｉｎ」）よりも大きく最大実測流量値「１０Ｌ／ｍｉｎ」以下の流量値である「１０Ｌ／ｍｉｎ」を、更新された第一流量値として設定している。その後、流量レベル「３」に対応する流量値は「８Ｌ／ｍｉｎ」とし、流量レベル「２」に対応する流量値は「７Ｌ／ｍｉｎ」となるように更新する。このように流量レベル「２」「３」「４」「５」を再設定してメモリ１６に格納することで、各流量レベル「１」「２」「３」「４」「５」に対応する更新された流量値を全て異なるように設定することができる。
【００４３】
また、図５に示す場合には、取得した最大実測流量値が「１３Ｌ／ｍｉｎ」であるので、初期状態の流量値がこの値を上回るのは、流量レベル「５」のみである。従って、この場合には、取得した最大実測流量値を流量レベル「５」に対応する更新された流量値としてメモリ１６に格納し、その他の流量レベル「４」「３」「２」「１」に対応する流量値は変更せずに更新された流量値としてメモリ１６に格納する。このようにすることで、各流量レベル「１」「２」「３」「４」「５」に対応する更新された流量値を全て異なるように設定することができる。
【００４４】
上述したような動作を吐水装置１０にさせることで、流量調整手段として機能する操作パネル１７においては、増量ボタン１７２を操作して流量レベル表示部１７３に流量レベルを「５」と表示させるようにすることで第一流量指示手段として機能させ、減量ボタン１７４を操作して流量レベル表示部１７３に流量レベルを「４」や「３」や「３」と表示させるようにすることで第二流量指示手段として機能させることができる。更に、ステップＳ０４，Ｓ０５，Ｓ１０，Ｓ１１の処理を実行することで、最大実測流量値を取得することができ、ステップＳ１０，Ｓ１１，Ｓ１２の処理を実行することで流量値再設定制御を実行することができる。
【００４５】
本実施形態によれば、流量調整弁１３の開度を最大にして吐水部１４から水を吐出させ、その吐水中において流量検出センサ１２によって検出された流量を示す最大実測流量値（図４に示す場合には「１０Ｌ／ｍｉｎ」、図５に示す場合には「１３Ｌ／ｍｉｎ」）を取得するので、吐水時点において流量調整弁１３を全開にした場合にどれくらいの流量が確保できるかを最大実測流量値として把握することができる。従って、吐水装置１０が設置されている場所の給水圧が変化したとしても、吐水装置１０において吐水する時点での最大流量を確実に把握することができる。このようにして取得した最大実測流量値が初期状態の最大流量値や流量レベル「４」「３」「２」に対応する流量値よりも小さい場合には、最大実測流量値を更新された最大流量値（流量レベル「５」に対応する流量値）としてメモリ１６に格納することで、初期状態の最大流量値を給水状態に即した最大流量値へと更新することができる。
【００４６】
更に、このようにして更新された最大流量値（流量レベル「５」に対応する流量値）に基づいて、他の流量レベル「４」「３」「２」に対応する流量値を決定し、更新された流量値としてメモリ１６に格納することで、初期状態の流量値を給水状態に即した流量値へと更新することができる（図３〜図５参照）。より具体的には、更新された最大流量値は上述したように現時点での吐水状態を反映した最大の流量値である一方で、初期状態の最小流量値である流量レベル「１」に対応する流量値「６Ｌ／ｍｉｎ」はこの吐水装置１０を使用する際の使用感を確保するための最小流量であるから改めて更新せずとも想定する最小の流量値を示すものである。そこで本実施形態では、流量レベル「１」に対応する流量値「６Ｌ／ｍｉｎ」は変更しない。一方で、流量レベル「２」「３」「４」に対応する流量値は、それぞれ異なり、且つ流量レベル「２」に対応する流量値よりも流量レベル「３」に対応する流量値が大きくなり、流量レベル「３」に対応する流量値よりも流量レベル「４」に対応する流量値が大きくなるように再設定し、その更新された流量値をメモリ１６に格納することで流量値再設定制御を実行している。
【００４７】
このように流量値再設定制御を実行することで、増量ボタン１７２を操作して流量レベル表示部１７３に流量レベル「５」を表示させれば（本願発明の第一流量指示手段を操作することに相当する）、現時点での給水状態に即した最大流量の吐水がなされ、増量ボタン１７２及び減量ボタン１７４を操作して流量レベル表示部１７３に流量レベル「２」「３」「４」を表示させれば（本願発明の第二流量指示手段を操作することに相当する）、最大流量から段階的に流量が減じられた中間流量の吐水がなされる。従って、この吐水装置１０が設置される場所の給水圧が低い場合や、給水圧が変動する場合であっても、吐出される水の流量を流量指示手段として機能する増量ボタン１７２及び減量ボタン１７４の操作によって段階的に変化するように調整可能なものとすることができるので、使用者にとって非常に使い勝手の良い吐水装置１０を提供することができる。
【００４８】
更に本実施形態では、吐水スイッチ１７１を操作して吐水部１４からの吐水を停止させると、メモリ１６に格納されている更新された流量値を消去し、初期状態の流量値のみが格納されている状態に戻す（図３に示す状態に戻す）リセット動作を実行するように構成されている。従って、吐水スイッチ１７１及びＣＰＵ１５がリセット手段として機能している。また、吐水スイッチ１７１を操作して吐水部１４から吐水を開始させ、図５に示す流量値再設定制御を実行した後、所定時間の経過後に上述したリセット動作を実行するように構成することも好ましいものである。この場合には、所定時間の経過後にリセット動作を実行し、更にその後上述した流量値再設定制御を実行することも好ましいものである。
【符号の説明】
【００４９】
１０：吐水装置
１１：給水路
１２：流量センサ
１３：流量調整弁
１４：吐水部
１６：メモリ
１７：操作パネル
３０：給水配管
３５：給湯配管
１７１：吐水スイッチ
１７２：増量ボタン
１７３：流量レベル表示部
１７４：減量ボタン
【図１】
2011058212.tif 000003
【図２】
2011058212.tif 000004
【図３】
2011058212.tif 000005
【図４】
2011058212.tif 000006
【図５】
2011058212.tif 000007
【図６】
2011058212.tif 000008